(57)【要約】【課題】通気性タイルカーペットを敷く天板部の剛性を確保しながら、大きな空気流路面積を確保すると同時に、家具類の脚部の接地部分やキャスター等からの荷重によるカーペットの変形やへたりを低減することのできる空調用床パネルを提供することを目的とする。【解決手段】通気性カーペットを敷く天板部３１に、一連の凹部３２と、凹部内に独立した複数の凸部３３を形成し、凹部に通気穴を形成して空気流路とする空調用床パネルにおいて、直線状に連続する凹部の長さをキャスター３５の接地幅Ｅ以上に設定すると共に、凹部の深さは、設定した凹部の幅において、通気性カーペットを敷いていない場合に家具類のキャスターが落ち込むことができる深さよりも浅く設定する。【選択図】      図１３
2005009788.tif 000002
【特許請求の範囲】
【請求項１】
通気性カーペットを敷く天板部に複数の細長い凹部を形成し、この凹部に通気穴を形成して空気流路とする空調用床パネルにおいて、凹部の短辺方向の長さを、使用する家具類の脚部の接地部分の短辺以下に設定すると共に、長辺方向の長さを、使用する家具類のキャスターの接地幅以下に設定することを特徴とする空調用床パネル
【請求項２】
通気性カーペットを敷く天板部に複数の細長い凹部を形成し、この凹部に通気穴を形成して空気流路とする空調用床パネルにおいて、凹部の短辺方向の長さを、使用する家具類において、凹部の短辺方向の長さを、第１の設定荷重以上で、第２の設定荷重以下の荷重が加わるキャスターの接地幅以下に設定すると共に、凹部の長辺方向の長さを、第１の設定荷重よりも大きな第２の設定荷重以上の荷重が加わるキャスターの接地幅以下に設定することを特徴とする空調用床パネル
【請求項３】
凹部の短辺側に通気穴を形成することを特徴とする請求項１又は２に記載の空調用床パネル
【請求項４】
天板部は、通気穴に対応する個所に穴を形成した平板上に、凹部に対応する個所に穴を形成したシートを積層して構成することを特徴とする請求項１又は２に記載の空調用床パネル
【請求項５】
通気性カーペットを敷く天板部に、一連の凹部と、凹部内に独立した複数の凸部を形成し、凹部に通気穴を形成して空気流路とする空調用床パネルにおいて、直線状に連続する凹部の長さを、使用する家具類のキャスターの接地幅以下に設定することを特徴とする空調用床パネル
【請求項６】
通気性カーペットを敷く天板部に、一連の凹部と、凹部内に独立した複数の凸部を形成し、凹部に通気穴を形成して空気流路とする空調用床パネルにおいて、直線状に連続する凹部の長さを家具類のキャスターの接地幅以上に設定すると共に、この凹部の幅を、家具類の脚部の接地部分の短辺の１／３以下に設定することを特徴とする空調用床パネル
【請求項７】
通気性カーペットを敷く天板部に、一連の凹部と、凹部内に独立した複数の凸部を形成し、凹部に通気穴を形成して空気流路とする空調用床パネルにおいて、直線状に連続する凹部の長さを家具類のキャスターの接地幅以上に設定すると共に、凹部の深さは、設定した凹部の幅において、通気性カーペットを敷いていない場合に家具類のキャスターが落ち込むことができる深さよりも浅く設定したことを特徴とする空調用床パネル
【発明の詳細な説明】
【０００１】
【発明の属する技術分野】
本発明は通気性カーペットを敷いて使用する空調用床パネルに関するものである。
【０００２】
【従来の技術】
例えば床吹出し空調システムは、床スラブの上方に二重床として支持した床パネルの天板部に多数の通気穴を形成し、空調機からの空調空気を床下空間から通気穴を経て居室内に供給するようにした空調システムであり、この床吹出し空調システムにおいて、通気穴が露出しないように床パネル上に通気性カーペットを敷くものが従来から種々提案されている。
【０００３】
例えば特許文献１には、ほぼ全面にわたって均一に配置された通風用の複数の穴を有する鋼板製の表面板、即ち天板部と、この天板部の裏側に接合された、補強用リブ部を有する裏面板とから構成されており、裏面板に通気穴が構成された床パネルが記載されている。この床パネルの天板部上には穴開きカーペットが敷かれて使用され、この場合、穴開きカーペットは、その穴の位置が天板部に形成した通気穴の位置に一致するように敷かれる。
【０００４】
また特許文献２には、床スラブの上方に、二重床として支持した通気性の支持床として、アルミダイカスト製床板に通気穴を穿設したものや、ＧＲＣ板、合成樹脂板、木質板、パンチングメタル、グレーチング等が挙げられており、このうち、強度、表面の平滑性等の見地から、上記アルミダイカスト製床板に通気穴を穿設したものが最も適しているものとして挙げられている。この支持床上には穴開きのタイルカーペットが敷かれて使用され、この場合、支持床の通気穴は、一つのカーペットタイルに対して原則均一に多数設けられ、その通気性はカーペットタイルの通気性よりも大に設定されるというものである。このことから、空調空気は、両者の穴が一致した一部の穴から吹き出すものと想定される。
【０００５】
更に特許文献３には、床スラブの上方に、二重床として複数の床パネルを支持して、この床パネル上に通気性タイルカーペットを敷く構成において、夫々の床パネルに複数の細長い凹部を設け、この凹部を空気流路として、その中に通気穴を形成することにより、強度低下を少なくし、且つ、タイルカーペットが床パネルの面と密着しない面積、従って空調空気が直接的にタイルカーペットに接触する面積を大きくして通気性を向上させたものが記載されている。
【０００６】
一方、非特許文献１には、上記特許文献３に示されているものと同形状の床パネルの説明が写真と共に記載されている。タイルカーペットの大きさは一般に５００ｍｍ角であることから、この非特許文献１で示される床パネルで最も大きな凹部は、深さ数ｍｍ程度、幅１０〜１２ｍｍ、長辺方向の長さ２４０ｍｍ程度と推定され、また全部の凹部を合計した空気流路面積は、床パネル全体の１５％程度であることが写真から推定される。
【０００７】
一方、この非特許文献１の７０頁には、「通気性タイルカーペットの表地は、通常のタイルカーペットと同じ素材であるが、バッキング材にはガラス繊維で補強した特殊繊維素材を用いて通気性を確保している。」と記載されていることから、この通気性タイルカーペットでは、バッキング材は繊維を主体としていて、その繊維間に、タイルカーペットの上面に連通する多数の穴が存在していることが分かる。
【０００８】
この通気性タイルカーペットは、通気穴からの空調空気がバッキング層の面方向に拡がり、従って全面から吹き出す性質を有するものの、上述した穴開きのカーペット（タイルカーペット）と比較して通気抵抗が大きく、バッキング層の面方向の空気移動における圧力損失を考慮すると、空気流路としての凹部の上方から高い割合で空気を吹き出させるものと考えられる。このため床パネルの空気流路面積は、全面積の１０％以上、好ましくは２０％程度にする必要があり、そして圧力損失を小さくしようとするため、この非特許文献１の床パネルには長さ／幅が比較的大きな溝状で、且つ深い凹部が形成されている。
【０００９】
【特許文献１】
特開２０００−５４６００号公報
【特許文献２】
特開平４−１２９５０７号公報
【特許文献３】
特開平８−３０２９７１号公報
【非特許文献１】
「空気調和・衛生工学」（空気調和・衛生工学会）第７３巻第１１号，６９−７０頁
【００１０】
【発明が解決しようとする課題】
以上に説明した文献に示される従来技術では以下に示すような課題がある。
ａ．特許文献１のものでは、床パネルが平板状であり、このため通気性を確保するために、カーペットに形成される穴が比較的大きくなり、目に見えるものであるため美観上に欠点を有すると共にカーペットと床パネルの穴を一致させなければならないことから精度の高い穴開け加工が要求されるという欠点がある。
【００１１】
ｂ．特許文献２のものでは、特許文献１と同様に床パネルが平板状であり、カーペットと床パネルに形成する穴の総面積を特許文献１と比較して大きくしなければならないため、カーペットに関しては劣化、いわゆるへたりや寸法安定性が低下し、また床パネルに関しては、その強度を確保するために天板部の肉厚を、より厚くすることが必要になるという欠点がある。
【００１２】
ｃ．特許文献３及び非特許文献１のものでは、空気の圧力損失を小さくするために、長さ／幅が大きな溝状で、且つ、深い凹部を形成しているので、この凹部に椅子やワゴン等の家具類の脚部やキャスターが落ち込みやすく、これらが落ち込むと通気性タイルカーペットには、局部的に大きな荷重が加わり、変形させられる力が働く。
【００１３】
例えば床パネルの凹部の長さ方向に対して直交する方向にキャスターが走行する際、凹部の長さがキャスターの接地幅よりも大きいと、キャスターはこの凹部に落ち込んで、凹部の角の部分に荷重が集中すると同時に、通気性タイルカーペットを凹ませようとする力が作用する。このために通気性タイルカーペットには、外周辺が内部側に引っ張られる力が作用し、この通気性タイルカーペットは、面剛性が高いこともあって、突き付け部が開き、周辺部に浮き上がりが生じて、見た目が悪くなるばかりでなく、歩行する時につま先を引っ掛けて転倒する危険があり、安全上も好ましくない。また長期的な繰り返しの荷重が通気性タイルカーペットに加わることにより、いわゆるへたり等も問題となる。
【００１４】
さらに通気性タイルカーペットが部分的にせよ浮き上がると、空調空気がこの部分から集中的に吹き出すことになって、空調空気を床全面から均一的に吹き出させる意図を達成することができなくなり、空調的にも好ましくない。
【００１５】
このため通気性タイルカーペットの周辺部の浮き上がりを防止するためには、通常使用される粘着剤よりも、より接着力の強いものを使用せざるを得なくなるという問題がある。
【００１６】
本発明はこのような課題を解決するために創案されたもので、その背景としては、空調空気を床全面から吹き出す目的の空調方式において、発明者の鋭意研究により、通気穴が見えないように構成している通気性カーペットは通気抵抗がかなり大きいということから、通気抵抗の律速がどこの部位になるかを考慮し、空気流路となる凹部内を空気が移動する時の圧力損失と、空気流路内から通気性カーペットを通過する時の圧力損失を近似させるという考え方を採用することにより、床パネルに形成する凹部の寸法等を合理的に構成できるという知見を得て、なされたものである。
【００１７】
即ち、本発明では、通気性タイルカーペットを敷く天板部の剛性を確保しながら、大きな空気流路面積を確保すると同時に、家具類の脚部の接地部分やキャスター等からの荷重による通気性タイルカーペットや穴開きタイルカーペットの変形やへたりを低減することのできる空調用床パネルを提供することを目的とするものである。
【００１８】
【課題を解決するための手段】
上述した課題を解決するために、本発明では、請求項１において、通気性カーペットを敷く天板部に複数の細長い凹部を形成し、この凹部に通気穴を形成して空気流路とする空調用床パネルにおいて、凹部の短辺方向の長さを、使用する家具類の脚部の接地部分の短辺以下に設定すると共に、長辺方向の長さを、使用する家具類のキャスターの接地幅以下に設定した空調用床パネルを提案する。
【００１９】
また請求項２では、通気性カーペットを敷く天板部に複数の細長い凹部を形成し、この凹部に通気穴を形成して空気流路とする空調用床パネルにおいて、凹部の短辺方向の長さを、使用する家具類において、凹部の短辺方向の長さを、第１の設定荷重以上で、第２の設定荷重以下の荷重が加わるキャスターの接地幅以下に設定すると共に、凹部の長辺方向の長さを、第１の設定荷重よりも大きな第２の設定荷重以上の荷重が加わるキャスターの接地幅以下に設定した空調用床パネルを提案する。
【００２０】
また請求項３では、上記請求項１，２において、凹部の短辺側に通気穴を形成した空調用床パネルを提案する。
【００２１】
また請求項４では、上記請求項１，２において、天板部は、通気穴に対応する個所に穴を形成した平板上に、凹部に対応する個所に穴を形成したシートを積層して構成することをを提案する。
【００２２】
また請求項５では、通気性カーペットを敷く天板部に、一連の凹部と、凹部内に独立した複数の凸部を形成し、凹部に通気穴を形成して空気流路とする空調用床パネルにおいて、直線状に連続する凹部の長さを、使用する家具類のキャスターの接地幅以下に設定した空調用床パネルを提案する。
【００２３】
また請求項６では、通気性カーペットを敷く天板部に、一連の凹部と、凹部内に独立した複数の凸部を形成し、凹部に通気穴を形成して空気流路とする空調用床パネルにおいて、直線状に連続する凹部の長さを家具類のキャスターの接地幅以上に設定すると共に、この凹部の幅を、家具類の脚部の接地部分の短辺の１／３以下に設定した空調用床パネルを提案する。
【００２４】
また請求項７では、通気性カーペットを敷く天板部に、一連の凹部と、凹部内に独立した複数の凸部を形成し、凹部に通気穴を形成して空気流路とする空調用床パネルにおいて、直線状に連続する凹部の長さを家具類のキャスターの接地幅以上に設定すると共に、凹部の深さは、設定した凹部の幅において、通気性カーペットを敷いていない場合に家具類のキャスターが落ち込むことができる深さよりも浅く設定した空調用床パネルを提案する。
【００２５】
以上の本発明では、通気性タイルカーペットを敷く天板部に複数の凹部を形成し、この凹部に通気穴を形成しているので、通気穴の総面積を出来るだけ小さくして剛性を確保しながら、大きな空気流路面積を確保することができる。
【００２６】
そして請求項１の発明では、凹部は細長い形状とし、凹部の短辺方向の長さを、使用する家具類の脚部の接地部分の短辺以下に設定しているので、移動式でない家具類を設置する際に、接地部分が凹部に落ち込むことがない。また、凹部の長辺方向の長さは、使用する家具類のキャスターの接地幅以下に設定しているので、家具類が移動してキャスターが凹部の位置に対応したとしても落ち込むことがない。
【００２７】
従って通気性タイルカーペットが大きく変形して突き付け部が開いたり、浮き上がりが生じることを防止することができる。この際、凹部の周辺部に対応する通気性タイルカーペットの個所には、上記脚部やキャスターから局所的な圧縮力が加わるが、凹部の長さと幅の設定により、圧縮力の大きさを低減することができる。
【００２８】
次に請求項２の発明では、家具類のキャスターからの荷重が、第１の設定荷重よりも大きく、第２の設定荷重よりも小さいキャスターに対応させて、細長い凹部の短辺方向の長さを、そのキャスターの接地幅よりも小さく設定したので、このキャスターは凹部の長さ方向への移動では凹部に落ち込まず、また凹部の長さ方向と直交する方向では凹部に落ち込むものの、その落ち込む深さは小さく、またキャスターから加わる荷重も、第２の設定荷重よりも小さいことから、落ち込みにより通気性タイルカーペットの突き付け部が開いたり、浮き上がりが生じることを防止することができる。
【００２９】
一方、請求項２の発明において、凹部の長辺方向の長さは、第１の設定荷重よりも大きい第２の設定荷重以上の荷重が加わるキャスターに対応させて、その接地幅以下に設定しているので、このキャスターは凹部の長さ方向と直交する方向でも凹部に落ち込まない。
【００３０】
従って、第２の設定荷重以上の荷重が加わるキャスターによって通気性タイルカーペットが大きく変形されて、その突き付け部が開いたり、浮き上がりが生じることを防止することができる。この際、凹部の周辺部に対応する通気性タイルカーペットの個所には、上記キャスターから局所的な圧縮力が加わるが、凹部の長さと幅の設定により、圧縮力の大きさを低減することができる。
【００３１】
一方、第１の設定荷重よりも小さい荷重しか加わらないキャスターに対しては、その接地幅が凹部の短辺方向の長さよりも小さい場合であっても、通気性タイルカーペット自体の面剛性と、これを床パネルに仮固定している粘着剤の保持力で抵抗して変形が防止され、各通気性タイルカーペットの突き付け部が開いたり、浮かび上がることを防止することができる。このようにキャスターから加わる荷重が第１の設定荷重よりも小さい場合には対象外として、凹部の短辺方向の長さを、その接地幅以上に形成するので、十分な空気流路面積を確保することができる。
【００３２】
また請求項３では、以上の凹部の短辺側に通気穴を形成するので、床パネルを鋼材のプレス加工等により容易に加工することができ、量産に適すると共に、凹部は、リブ補強を兼用する配置となることにより、空気流路面積を大きくしても、床パネルの剛性を高く維持することができる。
【００３３】
また請求項４では、天板部は、通気穴に対応する個所に穴を形成した平板上に、凹部に対応する個所に穴を形成したシートを積層して構成するので、プレス加工ができない材質であっても、所定の凹部と通気穴を容易に形成することができる。
【００３４】
また請求項５では、天板部に形成する凹部は連通する構成としているので、通気性を向上でき、しかも直線状に連続する凹部の長さはキャスターの接地幅以下としているので、直線状に連続する凹部へのキャスターの落ち込みを防止することができる。
【００３５】
従ってこの構成においても上述と同様に、キャスターによって通気性タイルカーペットが大きく変形して、その突き付け部が開いたり、浮き上がりが生じることを防止することができる。この際、凹部の周辺部に対応する通気性タイルカーペットの個所には、上記脚部やキャスターから局所的な圧縮力が加わるが、凹部の寸法を適宜に設定することにより、圧縮力の大きさを低減することができる。
【００３６】
また請求項６では、天板部に形成する凹部は連通する構成とすると共に、直線状に連続する凹部の長さを家具類のキャスターの接地幅以上に設定することにより、更に通気性を向上できるとともに、この直線状に連続する長さが家具類のキャスターの接地幅以上に設定された凹部の幅は、家具類の脚部の接地部分の短辺の１／３以下と、小さく設定するので、キャスターがこの凹部に落ち込んだとしても、その深さは小さいので、凹部を深くして空気流路面積を大きくした場合にも、通気性タイルカーペットが大きく変形して、その突き付け部が開いたり、浮き上がりが生じることを防止することができる。
【００３７】
また請求項７では、天板部に形成する凹部は連通する構成とすると共に、直線状に連続する凹部の長さを家具類のキャスターの接地幅以上に設定することにより、更に通気性を向上できるとともに、凹部の深さを、通気性カーペットを敷いていない状態において家具類のキャスターが入り込む深さよりも浅く設定しているので、キャスターが凹部に落ち込んだとしても、その荷重により通気性カーペットを大きく曲げられる前に、凹部の底部で荷重を受けることになるので、これにより通気性タイルカーペットの突き付け部が開いたり、浮き上がりが生じることを防止することができる。
【００３８】
【発明の実施の形態】
次に本発明の実施の形態を図を参照して説明する。
図１、図２は本発明に係る空調用床パネルの天板部の第１の実施の形態を示すもので、図１は平面図、図２は図１のＡ−Ａ断面図である。
図において符号１は床パネルの天板部を示すもので、天板部１には複数の細長い凹部２を形成しており、この凹部２内に通気穴３を形成している。このような天板部１の下面側には補強用リブ等を形成した裏面板（図示省略）を適宜設置して床パネルが構成され、この床パネルを従来の適宜構造により床スラブの上方に二重床として支持すると共に、天板部１上に通気性タイルカーペットが敷かれて使用状態とされる。
【００３９】
図に示すように、この実施の形態では、天板部１に形成した多数の凹部２は、長辺方向が同一方向に並ばないように、交互に直交する方向に配置しており、このことから、多数の凹部２は天板部１のリブ補強作用を有している。
【００４０】
以上の構成の天板部１は、図２の構成に示すように鋼材等のプレス加工により凹部２と通気穴３を同時に形成する他、適宜の方法を適用することができ、例えば図３（ａ），（ｂ）に示すように、通気穴３に対応する個所に穴３ａを形成した平板１ｂ上に、凹部２に対応する個所に穴２ａを形成したシート１ａを接着剤等により貼り付け、積層して構成することができる。
【００４１】
以上の構成において、上記請求項１の発明を適用する場合には、上記凹部２は、短辺方向の長さを、使用する家具類の脚部の接地部分の短辺の長さ以下に設定すると共に、長辺方向の長さを、使用する家具類のキャスター４（図１中に２点鎖線で示している。）の接地幅Ｅ以下に設定する。
【００４２】
例えば什器の脚部の接地部分の短辺の最小値は１５ｍｍ程度であることから、凹部２の短辺方向の長さは１５ｍｍ以下とすれば良いが、更に小さくして、例えば１０ｍｍ以下とすれば荷重を受ける面積が小さくなりすぎないので、凹部２の周辺部における局部的な荷重の集中が軽減され、この点からは好ましくなる。
一方、家具類の例として、例えば通常の事務椅子に装着されているキャスターは、直径：５０ｍｍ程度、接地幅：４０ｍｍ程度であり、また脇机やワゴンに装着されているキャスターは、直径：３５ｍｍ程度、接地幅：３０ｍｍ程度であることを考慮して、凹部２の長辺方向の長さは３０ｍｍ以下とすれば良いが、２５ｍｍ以下に設定すれば、荷重を受ける面積が小さくなりすぎないので、短辺方向と同様に、凹部２の周辺部における局部的な圧縮力の集中が軽減されるため好ましくなる。このように凹部２の短辺方向及び長辺方向の長さは、上記設定条件を満たした上での空気流路面積とのトレードオフにより決定すればよい。
【００４３】
以上の設定では、移動式でない家具類を設置する際に、脚部の接地部分が凹部２に落ち込むことがなく、また家具類が移動してキャスター４が凹部２の位置に対応したとしても落ち込むことがない。
【００４４】
従って天板部１の上面に敷かれている通気性タイルカーペットがキャスターにより大きく変形されて、その突き付け部が開いたり、浮き上がりが生じることを防止することができる。上述したとおり、この際、凹部２の周辺部に対応する通気性タイルカーペットの個所には、局所的な圧縮力が加わるが、凹部２の長さと幅の設定により、圧縮力の大きさを低減することができる。
【００４５】
次に、図１、図２の構成において、上記請求項２の発明を適用する場合には、上記凹部２は、上述したとおり、その短辺方向の長さを、使用する家具類において、第１の設定荷重以上で、第２の設定荷重以下の荷重が加わるキャスターの接地幅以下に設定すると共に、凹部の長辺方向の長さを、第１の設定荷重よりも大きな第２の設定荷重以上の荷重が加わるキャスターの接地幅以下に設定する。
【００４６】
例えば第１の設定荷重は３ｋｇ程度であり、また第２の設定荷重は第１の設定荷重の２倍程度、即ちこの場合、６ｋｇ程度とする。具体的に説明すると、例えば、家具類として、総重量が約２０ｋｇで６個所にキャスターが装着されているような衝立を考えると、各キャスター毎の荷重は２０／６≒３．３ｋｇであるから、上記設計条件中、凹部２の短辺方向の長さを決定するキャスター、即ち第１の設定荷重以上で、第２の設定荷重以下の荷重が加わるキャスターに該当する。そしてこのような衝立に使用されているキャスターの接地幅は１０ｍｍ程度のものが多いことから、凹部２の短辺方向の長さは１０ｍｍ以下、例えば８ｍｍ程度とする。一方、６個所にキャスターが装着されている衝立の総重量が約１５ｋｇである場合には、各キャスター毎の荷重は１５／６＝２．５ｋｇであるから、上記対象外となる。
【００４７】
一方、家具類の中で、通常の事務椅子には５個のキャスターが装着されており、例えば体重５０ｋｇ程度の人が座った場合には各キャスター毎の荷重は１０ｋｇを上回るので、上記設計条件中、凹部２の長辺方向の長さを決定するキャスター、即ち、第２の設定荷重である６ｋｇ以上の荷重が加わるキャスターに該当する。そしてこのような事務椅子に使用されているキャスターの接地幅は上述したとおり４０ｍｍ程度のものが多いことから、このキャスターに着目すると、凹部２の長辺方向の長さは４０ｍｍ以下とすれば良い。一方、このような事務椅子の他に、ワゴンや脇机等に装着されている各キャスター毎の荷重が６ｋｇを越える場合には、凹部２の長辺方向の長さは、これらに装着されているキャスターの接地幅、例えば３０ｍｍ以下とすれば良い。
以上の凹部２の短辺方向、長辺方向の長さは、上述したとおり、上記設定条件を満たした上での空気流路面積とのトレードオフにより決定すればよい。
【００４８】
以上の設定では、家具類のキャスターの荷重が、第１の設定荷重（３ｋｇ）よりも大きく、第２の設定荷重（６ｋｇ）よりも小さいキャスターは、凹部２の長さ方向への移動では凹部２に落ち込まず、また凹部２の長さ方向と直交する方向では凹部２に落ち込むが、その落ち込む深さは小さく、またキャスター２から加わる荷重も、第２の設定荷重よりも小さいことから、落ち込みにより通気性タイルカーペットが大きく変形して、その突き付け部が開いたり、浮き上がりが生じることを防止することができる。
【００４９】
一方、凹部２の長辺方向の長さは、第２の設定荷重（６ｋｇ）以上の荷重が加わるキャスターに対応させて、その接地幅以下に設定しているので、このキャスターは凹部の長さ方向と直交する方向のいずれでも凹部２に落ち込まない。
【００５０】
従って荷重が大きいキャスター４が凹部２に落ち込み、通気性タイルカーペットを大きく変形して、その突き付け部が開いたり、浮き上がりが生じることを防止することができる。この際、凹部の周辺部に対応する通気性タイルカーペットの個所には、キャスターから局所的な圧縮力が加わるが、上述したとおり凹部の長さと幅の設定により、圧縮力の大きさを低減することができる。
【００５１】
一方、第１の設定荷重（３ｋｇ）よりも小さい荷重しか加わらないキャスターに対しては、その接地幅が凹部２の短辺方向の長さよりも小さい場合であっても、通気性タイルカーペット自体の面剛性と、これを床パネルに仮固定している粘着剤の保持力で十分に変形に対して抵抗できるため、各通気性タイルカーペットの突き付け部が開いたり、浮かび上がることを防止することができる。こうして、キャスターの荷重が第１の設定荷重よりも小さい場合には対象外として、凹部２の短辺方向の長さは、その接地幅以上に形成するので、十分な空気流路面積を確保することができる。
尚、例えば傘立て等の家具類のように、脚部の当接部分にキャップを装着できるものであれば、このキャップにより接地面積を大きくすることができる。
【００５２】
図４は上述したようように、図１、図２の構成において請求項２の発明を適用した場合、第１の設定荷重（３ｋｇ）よりも大きく、第２の設定荷重（６ｋｇ）よりも小さいキャスターが凹部２の長さ方向と直交する方向において凹部２に落ち込んだ状態を模式的に示した説明図であり、符号５は通気性タイルカーペットを示すものであるが、この図では剛性が小さいパイル部分は図示を省略しているため、図中の符号５は実質的には通気性タイルカーペットの裏面の多孔質層を示しているのであるが、便宜上、通気性タイルカーペットも同じ符号で示す。尚、図中の破線円は、通気性タイルカーペットが敷かれていない場合に凹部２に落ち込んだキャスター４の状態を示すものである。
【００５３】
図に実線で示されるように、通気性タイルカーペット５のパイルの基部にある補強材６には、短辺方向の長さがＷ１の凹部２に落ち込んだキャスター４により、Ｗ２の範囲の部分が円弧に沿って伸ばされるような力が作用する。しかしながら補強材６には、ガラスクロスやポリエステルの織布や不織布が使用されているので、Ｗ２の範囲の部分はゴムのように伸ばされるのではなく、伸びがない状態で周辺部を引っ張り込んで、見掛け上の円弧の長さになろうとする。その結果、上述したとおり、通気性タイルカーペット５の周辺部を持ち上げるような反りを生じることとなって、突き付け部が開いたり、浮き上がりが生じるのである。この現象の数値的な解析例については後述する。
【００５４】
次に図５は本発明に係る空調用床パネルの天板部の第２の実施の形態を示す平面図であり、第１の実施の形態の構成要素に対応する構成要素には同一の符号を付して重複する説明は省略する。
即ち、この第２の実施の形態では、天板部１に形成した細長い凹部２の夫々の長辺方向の両端側に通気穴３を形成したものである。
【００５５】
次に図６〜図８は本発明に係る空調用床パネルの天板部の第３の実施の形態を示すものであり、図６は平面図、図７は一部の拡大斜視図、図８は図７のＢ−Ｂ断面図である。この実施の形態においても、第１の実施の形態の構成要素に対応する構成要素には同一の符号を付して重複する説明は省略する。
即ち、この第３の実施の形態では、天板部１に形成した細長い凹部２は、短辺側に通気穴３を形成している。
このような天板部１は、鋼材等のプレス加工により、凹部２と通気穴３を同時に形成することができるので、製作が容易であり量産に適すると共に、通気穴３による剛性の低下は小さい。そして凹部２の部分がリブ補強となるように配置すれば、凹部を含めた開口率を高くしても天板部１の剛性を保持又はより高くすることが出来る。
【００５６】
次に図９は本発明に係る空調用床パネルの天板部の第４の実施の形態を示す一部の斜視図であり、第１の実施の形態の構成要素に対応する構成要素には同一の符号を付して重複する説明は省略する。
即ち、この第４の実施の形態では、天板部１に形成した細長い凹部２は、長辺側に通気穴３を形成したものである。
第３の実施の形態と同様に、このような天板部１は、鋼材等のプレス加工により容易に製作することができ、また通気穴３による剛性の低下は、第３の実施の形態よりも大きいが、通気穴３の面積を第３の実施の形態よりも大きくすることができる。
【００５７】
次に図１０は本発明に係る空調用床パネルの天板部の第５の実施の形態を示す平面図であり、第１の実施の形態の構成要素に対応する構成要素には同一の符号を付して重複する説明は省略する。
即ち、この第５の実施の形態では、天板部１に形成した細長い凹部２は、直交した方向が組み合わさって十字状に配置され、中央の交点に通気穴３が形成されている。
【００５８】
次に図１１は、本発明に係る空調用床パネルの天板部の第６の実施の形態を示す平面図である。
符号１１は通気性カーペットを敷く天板部を示すもので、この天板部１１には、一連の凹部１２と、凹部１２内に独立した複数の凸部１３を形成し、凹部１２に通気穴１４を形成している。この場合、凸部１３は正六角形状で、上記凹部１２の幅Ｌａを隔ててハニカム状に配置されている。尚、凸部１３の形状は六角形以外の形状とすることもできることは勿論である。
【００５９】
以上の構成において、上記請求項４の発明を適用する場合には、上記凹部１２は、直線状に連続する凹部１２の長さＬｂを、使用する家具類のキャスターの接地幅以下に設定する。
【００６０】
例えば図に示されるように凸部１３が正六角形状の場合、凸部１３の一辺の長さＬｃを２０ｍｍ、凹部１２の幅Ｌａを６ｍｍに設定すると、直線状に連続する凹部１２の長さＬｂは次式から３０．４ｍｍと計算される。
Ｌｂ＝Ｌｃ＋２Ｌａｃｏｓ３０°＝３０．４
上述したとおり、通常の事務椅子に装着されているキャスターは、直径：５０ｍｍ程度、接地幅：４０ｍｍ程度であり、また脇机やワゴンに装着されているキャスターは、直径：３５ｍｍ程度、接地幅：３０ｍｍ程度であるため、上述したような数値的な設定を行えば、図中に２点鎖線で示したキャスター１５が直線状に連続する凹部１２と直交する方向に移動する際にキャスター１５が落ち込むことは事実上なくなる。従って、この場合は、請求項１の発明と同様に、キャスターが凹部に落ち込むことによる問題の発生を防止することができる。尚、この場合においても、凹部１２の幅Ｌａや凸部１３の一辺の長さは、上述した設定条件を満たした上での空気流路面積とのトレードオフにより決定すればよい。
【００６１】
いずれにしても、この構成では、凹部２が一連に連続しているため、空気流路となる凹部１２の、天板部１１全体に対しての面積比率を高めることができると共に、キャスターの落ち込みもなくなる。
従って、例えば、通気性タイルカーペットの平均風速が１ｃｍ／秒の時の通気抵抗（圧力損失）が１ｍｍＡｑ以上であるような、比較的通気性の低い通気性タイルカーペットでも、床全面床吹出し空調システムに利用することができる
【００６２】
一般に通気性タイルカーペットの最大の課題は、繰り返し荷重による劣化、即ちへたりと長さ変化にある。同様な構成の通気性タイルカーペットでは、通気抵抗が小さいものほど、へたりを生じやすくなるので、耐久性を考慮すると、ある程度、通気抵抗の大きい通気性タイルカーペットを使用せざるを得ない。そして通気抵抗の比較的大きな通気性タイルカーペットを使用する場合には、空気流路面積を大きくする必要が生じる。
この課題に関して、本発明によれば、天板部の空気流路面積を、上記面積比率で４０％以上とすることも可能であり、従ってより耐久性に優れる全面床吹出し空調システムの構築に必要な床パネルを提供することができるのである。
【００６３】
次に図１２は、本発明に係る空調用床パネルの天板部の第７の実施の形態を示す平面図である。
符号２１は天板部を示すもので、この天板部２１も上述した第６の実施の形態と同様に、天板部２１には、一連の凹部２２と、凹部２２内に独立した複数の凸部２３を形成し、凹部２２に通気穴２４を形成している。この場合、凸部２３は正方形状で、上記凹部２２の幅Ｌｄを隔てて格子状に縦横に配置されている。また凹部２２は天板部２１の木口までは至っていない。
【００６４】
以上の構成では、図に示されるように、直線状に連続する凹部２２の長さは、使用する家具類のキャスター２５の接地幅より大きい。こうして請求項５の発明を適用する場合には、直線状に連続する凹部２２の幅Ｌｄは、家具類の脚部の接地部分の短辺の１／３以下、例えば４ｍｍ以下と小さく設定する。
【００６５】
このため、キャスター２５が凹部２２と直交する方向に移動する際に、この凹部２２に落ち込んだとしても、その深さは小さいので、凹部２２を深くして空気流路面積を大きくした場合にも、キャスター２５の落ち込み深さを小さくすることにより、通気性タイルカーペットの突き付け部が開いたり、浮き上がりが生じることを防止することができる。
【００６６】
この構成においても凹部２２は一連に連続しているため、空気流路となる凹部２２の、天板部２１全体に対しての面積比率を高めることができ、上記構成と同様な利点を有している。
【００６７】
次に図１３、図１４は、本発明に係る空調用床パネルの天板部の第８の実施の形態を示すもので、図１３は平面図、図１４は図１３のｃ−ｃ断面図である。
符号３１は天板部を示すもので、この天板部３１も上述した第６，７の実施の形態と同様に、一連の凹部３２と、凹部３２内に独立した複数の凸部３３を形成し、凹部３２に通気穴３４を形成している。この場合、凸部３３は円形状で、適宜の距離を隔てて千鳥状に配置されている。
【００６８】
以上の構成では、図に示されるように、直線状に連続する凹部３２の長さは、使用する家具類のキャスター３５の接地幅Ｅよりも大きい。こうして請求項６の発明を適用する場合には、直線状に連続する凹部３２の幅Ｌｅは、上記請求項５に係る直線状に連続する凹部２２の幅Ｌｄよりも大きくし、例えば６ｍｍ以上に設定するが、凹部３２の深さは、通気性カーペットを敷いていない状態においてキャスター３５が入り込む深さよりも浅く設定する。この設定を図４を参照して説明すると、図４では通気性カーペットを敷いていない状態においてキャスター３５が入り込む深さ（図中破線の状態）よりも深い位置に凹部２の底部が位置するが、請求項７に対応するこの実施の形態の場合には、この底部を破線の位置よりも上方に位置させるというものである。
【００６９】
このような設定では、キャスター３５が、直線状に連続する凹部３２と直交する方向に移動する際に、凹部３２に落ち込んだとしても、その荷重により通気性カーペットが大きく曲げられる前に、凹部３２の底部で荷重を受けることになるので、これにより通気性タイルカーペットも大きく曲げられることがなく、従って突き付け部が開いたり、浮き上がりが生じることを防止することができる。
【００７０】
この構成においては、凹部３２は一連に連続していることに加えて、凹部３２間の距離を大きくすることができるので、空気流路となる凹部３２の、天板部３１全体に対しての面積比率を、更に高めることができ、例えば、面積比率を５０％以上とすることも可能であるので、床全面吹出し空調システムに、より適する床パネルを提供することができる。
【００７１】
次にキャスターが凹部に落ち込むことにより、通気性タイルカーペットの周辺部を持ち上げるような反りを生じて、突き付け部が開いたり、浮き上がりが生じる現象の数値的な解析例を図４を参照して説明する。
【００７２】
まず、解析に当たっては、図４に示すように、通気性タイルカーペット５の裏打ち層である多孔質層の厚みをｄとし、それが凹部２の角で半分の厚さになり、角からキャスター４までの距離Ｇがｄ／２１／２となると仮定する。そして２θ（ラジアン）に相当する部分の円弧長をＬとし、上記Ｗ２との差を伸びΔＬとすると、以下の関係式からΔＬを計算することができる。
ｒ＋Ｇ＝ｒｃｏｓθ＋ｄ＋ｈ
Ｗ２＝２ｒｓｉｎθ
ΔＬ＝２ｒθ−Ｗ２
【００７３】
以上の関係式に、キャスターの半径ｒ：１７．５ｍｍ、多孔質層の厚みｄ：２ｍｍとして計算した結果を表１に示す。
【表１】
2005009788.tif 000003
【００７４】
ここで、凹部２の幅が０になった時は、ｄ＝Ｇとなるはずであるが、計算上は上述したとおりｄ／２１／２と仮定している。
しかしながら、キャスターは凹部２がある場合には２個所の角部で支えられるが、凹部２がなく平坦な場合には１個所のみで支えられるため、キャスターの荷重が同じとすると、平坦の方が、よりキャスターの沈み込みが大きくなるとも考えられるので、上記の仮定は余り大きな誤差を生じていないと考えられる。
【００７５】
次に、通気性タイルカーペットの多孔質層の厚みをｄとすることに変わりはないが、圧縮変形が厚さの半分とし、且つ凹部２の角の部分での厚みが０となると仮定し、他の条件は上述と同様にして計算した結果を表２に示す。
【表２】
2005009788.tif 000004
【００７６】
次に、通気性タイルカーペット５の上記伸びΔＬに相当する分は、全て周辺部から引き寄せられて、反りによって補完されているものと考え、図１５の参考図を参照して反りを計算する。尚、図１５において、Ｌ１は通気性タイルカーペットの多孔質層の下面側に沿った円弧、Ｌ２は通気性タイルカーペットの多孔質層の上面側に沿った円弧を示すものである。図１４に示す関係から、以下の式が得られ、これらの式を用いて、通気性タイルカーペットの反りの大きさｚ、即ち浮き高さを計算することができる。
Ｒ＝ｄ・Ｌ１／（Ｌ１−Ｌ２）
θ＝Ｌ１／Ｒ
ｚ＝Ｒ（１−ｃｏｓθ）
Ｒ＝ｒ＋ｄ
【００７７】
ここで伸びΔＬとしては、以上に２種類計算したうちの数値の小さい方、即ち表２の値を採用して計算した結果を表３に示す。
【表３】
2005009788.tif 000005
【００７８】
尚、実際に通気性タイルカーペットを床パネルの天板部に敷く場合には、その施工時に天板部の上面にピールアップボンド等の粘着剤を塗り付けるので、この粘着剤が通気性タイルカーペットの反り上がりに対しての抵抗となる。一方、通気性タイルカーペットが比較的柔らかく、柔軟性がある場合には、突き付け部の口開きとなっても不具合としては余り目立たないものとなるが、バッキング層にフェルト等の繊維の集合物を用いている通気性タイルカーペットでは、面剛性が高いものが多く、この場合には反りに起因する浮きを生じやすい。
【００７９】
以上の計算結果を考察すると、上述した計算条件において、通気性タイルカーペットの伸びΔＬは、凹部２の幅が４ｍｍまでは大きな変化はないが、６ｍｍ以上となると急速に大きくなって行くことが分かる。
従って、直径：３５ｍｍ程度、接地幅：３０ｍｍ程度のキャスターを対象とした場合、凹部２の幅を家具類の脚部の接地部分の短辺の１／３以下、例えば４ｍｍ以下と小さく設定すれば、凹部２の部分と平坦な部分とで伸びΔＬに大きな差がないことから、凹部２の深さは、通気抵抗を考慮し、これが大きくならないような適宜の深さを選択することができることが分かる。
【００８０】
一方、凹部２の幅が、伸びΔＬが急速に大きくなり始める幅６ｍｍ以上の場合には、凹部の深さを、通気性カーペットを敷いていない状態においてキャスターが入り込む（即ち、図３中の破線の状態）深さよりも上方に位置させれば、凹部２の底部で荷重の一部を受けることになるので、結果としてΔＬを小さくすることができ、従って反りや、突き付け部の目開きを抑制することができる。
【００８１】
【発明の効果】
本発明の空調用床パネルは、以上のとおりであるので、次のような効果がある。
ａ．大きな空気流路面積を確保できるので、その上に敷いて使用する通気性タイルカーペット等としては、従来よりも通気抵抗の比較的大きなものを採用することができ、耐久性の向上等が図れると共に、同じ通気抵抗の通気性タイルカーペット等を使用したとすると、従来と比較してより少ない圧力損失で床吹出し空調が可能となる。
ｂ．通気性タイルカーペット等のへたりの発生を遅らせたり、低減することが出来る。
ｃ．通気性タイルカーペット等の突き付け部の開きや浮き上がりを抑制できるので、美観に優れ、清掃作業等にも支障を来さず、安全な歩行が可能となる。
ｄ．いずれの構成においても、凹部へのキャスターの落ち込みが少ないので、台車等で什器や書類等を運搬する時に、凹部を有していない床パネルと同様な力で台車を走行できる。
【図面の簡単な説明】
【図１】本発明に係る空調用床パネルの天板部の第１の実施の形態を示す平面図である。
【図２】図１のＡ−Ａ断面図である。
【図３】天板部の構成する方法の他例を示すもので、（ａ）は積層する前、（ｂ）は積層して天板部を構成した状態の断面図で、断面個所は図１のＡ−Ａ線と同様である。
【図４】家具類のキャスターが凹部に落ち込んだ状態を説明する模式図である。
【図５】本発明に係る空調用床パネルの天板部の第２の実施の形態を示す平面図である。
【図６】本発明に係る空調用床パネルの天板部の第３の実施の形態を示す平面図である。
【図７】図６の一部の拡大斜視図である。
【図８】図７のＢ−Ｂ線断面図である。
【図９】本発明に係る空調用床パネルの天板部の第４の実施の形態を示す要部の斜視図である。
【図１０】本発明に係る空調用床パネルの天板部の第５の実施の形態を示す平面図である。
【図１１】本発明に係る空調用床パネルの天板部の第６の実施の形態を示す平面図である。
【図１２】本発明に係る空調用床パネルの天板部の第７の実施の形態を示す平面図である。
【図１３】本発明に係る空調用床パネルの天板部の第８の実施の形態を示す平面図である。
【図１４】図１３のＣ−Ｃ断面図である。
【図１５】反りを計算するための参考図である。
【符号の説明】
１                天板部
２                凹部
３                通気穴
４                キャスター
５                通気性タイルカーペット（の裏面の多孔質層）
６                補強材
１１，２１，３１  天板部
１２，２２，３２  凹部
１３，２３，３３  凸部
１４，２４，３４  通気穴
１５，２５，３５  キャスター
【図１】
2005009788.tif 000006
【図２】
2005009788.tif 000007
【図３】
2005009788.tif 000008
【図４】
2005009788.tif 000009
【図５】
2005009788.tif 000010
【図６】
2005009788.tif 000011
【図７】
2005009788.tif 000012
【図８】
2005009788.tif 000013
【図９】
2005009788.tif 000014
【図１０】
2005009788.tif 000015
【図１１】
2005009788.tif 000016
【図１２】
2005009788.tif 000017
【図１３】
2005009788.tif 000018
【図１４】
2005009788.tif 000019
【図１５】
2005009788.tif 000020